(57)【要約】【課題】洗濯物を速やかに乾燥させるために、ハンガーに通風用の空間を持たせる。【解決手段】  洗濯物を掛けるハンガーの、タオル等を掛ける部分であるバー４を二又にして、通風用の空間を持たせることで、洗濯物の内側への風通しを良くし、速やかな乾燥を可能とする。【選択図】図１
2006141659.tif 000002
【特許請求の範囲】
【請求項１】
衣類を掛ける部分であるショルダー３と、タオル等を掛ける部分であるバー４を有するハンガーにおいて、バー４を二又にしたことを特徴とするハンガー１。
【請求項２】
請求項１記載のハンガー１において、ショルダー３と、二又にしたバー４を、合成樹脂を材料として別々に製作し、さらに、ショルダー３に対し、バー４が、回動可能なように連結する構造を、ショルダー３の両端５とバー４の両端６に設け、かつ、フック２を物干し竿等に掛けたとき、回動するバー４が略水平状態および略垂直状態で、ショルダー３に対し仮固定される構造を、ショルダー３の両端５とバー４の両端６に設けたハンガー１。
【発明の詳細な説明】
【技術分野】
【０００１】
本発明は、洗濯し濡れた洗濯物の内側に、通風用の空間を設けることにより、速やかに乾燥させることを可能にしたハンガーに関するものである。
【背景技術】
【０００２】
従来、洗濯物を天日で乾燥させるには、洗濯物をハンガーに掛けて、それを物干し竿等に掛けるという手段が一般的にとられている。そして、このような状況において、衣類を速やかに乾燥させるためには、風通しが少しでも良くなるように工夫する必要がある。
【０００３】
なお、本発明に関連する公知技術として、次の特許文献１及び特許文献２を挙げることができる。
【０００４】
【特許文献１】実開昭６１−１５７４９４号公報
【特許文献２】特開２００４−１６５３５号公報
【発明の開示】
【発明が解決しようとする課題】
【０００５】
従来、洗濯物を天日で乾燥させるには、洗濯物をハンガーに掛けて、それを物干し竿等に掛けるのが一般的であるが、それでは衣類を掛けた場合には前身ごろと後ろ見ごろが、また、タオル等を掛けた場合にはタオルの両サイドが、それぞれ互いに接近するため、内側への風通しが悪く、乾燥に時間を要していた。そのうえ、強風のときなど洗濯物が風にあおられ、ハンガーのフックが物干し竿上を移動し、複数の洗濯物が密集してしまい、結果、さらに風通しが悪くなり、乾燥が効率よく行われないことが常であった。
【０００６】
このような状況を解決するために、前記実開昭６１−１５７４９４号公報に示されるハンガーが知られていたが、このハンガーの構造では通風用フレームが略水平状態で固定される構造でないため、強風により複数の洗濯物が密集した場合、通風用フレームが密集によって生じた外力によって折りたたまれてしまい、通風用の空間が確保されず、速やかな乾燥を望めなかった。そのうえ、多くの部品から構成されているため、安価な大量生産には不向きでコスト高となっていた。
【０００７】
さらに、前記特開２００４−１６５３５号公報に示されるハンガーも知られているが、このハンガーにおいては、濡れた洗濯物を掛けた場合、その重さによりバー桿の蛇行に沿って洗濯物が垂れ下がってしまい、内側に十分な通風用の空間が確保されず、そのうえ、強風により複数の洗濯物が風にあおられ密集した場合、複数のハンガーの蛇行したバー桿の凹凸どうしが、互いにはまりあう形となり、結果、各洗濯物の外側どうしが、蛇行したバー桿の凸部に押され互いに密着し、速やかな乾燥が望めなかった。
【０００８】
また、洗濯物が衣類であった場合、乾燥が終わりそのままハンガーに掛けた状態で、クローゼット等に収納することが日常的によくあるが、このハンガーでは、収納に場所をとってしまうという欠点があった。
【０００９】
本発明は、以上のような問題を解決するために成されたものであり、洗濯物を速やかに乾燥することのできるハンガーであって、強風により洗濯物が密集し、外力が加わった状態であってもその機能を十分に発揮しうるハンガーである。
【００１０】
さらに、請求項２においては、速やかな乾燥を可能にしつつ、乾燥を終えた衣類をハンガーに掛けたままであっても、クローゼット等に場所をとることなく収納でき、なおかつ、部品構成がシンプルで、安価な大量生産が可能なハンガーを提供するものである。
【課題を解決するための手段】
【００１１】
解決しなければならないいくつかの課題があるが、先ず、洗濯物を速やかに乾燥させる手段として、図１のように、タオル等を掛ける部分であるバー４を二又にして、洗濯物の内側に通風用の空間を設ける。
【００１２】
次に、前述の機能を確保し、なおかつ、乾燥終了後に、衣類を掛けたままであっても、クローゼット等に場所を取ることなく収納可能にするための手段として、図２のように、衣類を掛ける部分であるショルダー３と、バー４を別々に製作し、ショルダー３に対しバー４が回動可能なように連結する構造を持たせると同時に、バー４が図５のように略水平状態と、図６のように略垂直状態で仮固定できるようにする。
【００１３】
さらに、安価な大量生産を可能にする手段として、ショルダー３とバー４の材料に、複雑な成型を可能にする合成樹脂を使用し、全体の部品構成をシンプルにする。
【発明の効果】
【００１４】
上述の手段によって、図１２及び図１３のように、本発明のハンガー１に洗濯物を掛けた場合、二又になったバー４により、内側に通風用の空間が設けられ、その空間に風が効率よく通るようになり、洗濯物が速やかに乾燥する。
【００１５】
また、複数の洗濯物が強風にあおられ密集したような場合であっても、二又になったバー４により設けられた通風用の空間は確保され、洗濯物の速やかな乾燥が期待できる。
【００１６】
さらに、バー４が回動可能なように構成された実施の形態においては、洗濯物の速やかな乾燥を可能にしつつ、バー４を回動させ略垂直状態で仮固定することにより、乾燥後は洗濯物を掛けたままであってもクローゼット等に、場所をとることなく収納することが可能である。そして、バー４は略水平状態でも仮固定されるので、乾燥時に外力が加わっても通風用の空間は確保される。
【００１７】
そして、前記実施の形態において、ショルダー３とバー４の材質を、共に合成樹脂にすることにより、全体の構造をシンプルなものとすることができ、これにより簡単で安価に大量生産することが可能となった。
【発明を実施するための最良の形態】
【００１８】
本発明の実施の形態を図１において説明すると、本発明のハンガー１は、物干し竿等に掛けるためのフック２、衣類を掛ける部分であるショルダー３、および、タオル等を掛ける部分であるバー４によって構成され、かつ、バー４が二又になっていることを特徴としている。
【００１９】
このハンガー１に、洗濯物を掛けると、バー４が二又になっていることによって、洗濯物の内側に空間が設けられる。この空間に風が効率よく通ることによって、乾燥が促進される。
【００２０】
また、このハンガー１に掛けられた複数の洗濯物が強風によってあおられ、物干し竿上を移動して密集した場合でも、二又になったバー４によって設けられる空間は確保されるので、速やかな乾燥が期待できる。
【００２１】
図２は、請求項２に基づく実施の形態を示すもので、ショルダー３とバー４を、合成樹脂を材料として別々に製作したものである。これは、図３及び、図４に示すように、ショルダー３の両端５に凸部７を設けるとともに、前記凸部７に嵌合するようにバー４の両端６に凹部８を設けることにより、バー４がショルダー３に対し回動可能なように連結する。 尚、凸部７と凹部８は、凹凸が反対の関係であってもよい。
【００２２】
さらに、バー４がショルダー３に対し回動するとき、バー４が略水平状態および略垂直状態でショルダー３に対し仮固定されるように、凸部７の周囲に、凸部９を少なくともひとつ以上設けるとともに、凸部９に嵌合するように、凹部８の中心から互いに９０度をなす位置関係にある外周部に、凹部１０を少なくとも二つ以上設ける。尚、凸部９と凹部１０は、凹凸が反対の関係であってもよい。
【００２３】
以上の構造により、洗濯物を掛けて乾燥させるときは、バー４を略水平状態に仮固定して、内側に通風用の空間を確保し、乾燥が終われば、バー４を回動させ略垂直状態に仮固定することにより、洗濯物を掛けたままであっても場所をとることなく、クローゼット等に収納することが可能である。
【実施例】
【００２４】
図７は、ショルダー３とバー４の連結を、ショルダー３の両端５に穴１１を設けるとともに、穴１１に嵌合する凸部１２をバー４の両端６に設けることにより行った実施例である。この場合、バー４のショルダー３に対する仮固定は、図８のごとく穴１１の周囲に凸部１３を少なくともひとつ以上設けるとともに、凸部１３に嵌合するように、凸部１２の中心から互いに９０度をなす位置関係にある外周部に、凹部１４を少なくとも二つ以上設けることにより行われる。尚、凸部１３と凹部１４は、凹凸が反対の関係にあってもよい。
【００２５】
図９に示す実施例は、図８で示した方法とは別の仮固定手段を示すもので、ショルダー３の両端５に設けられた穴１１と、中心を同じくする円弧状に両端５の先端を形成し、さらに、前記円弧状に形成された両端５の先端に、穴１１の中心から互いに９０度をなす位置関係にある場所に、少なくとも二つ以上の凹部１５を設けるとともに、バー４の両端６に凹部１５に対し、嵌合するように形成された凸部１６を設けることによる仮固定手段である。
【００２６】
図１０は、凹部１５を三つ備えた実施例である。
【００２７】
図１１は、フック２をショルダー３と一体成型せず、金属等で製作し、ショルダー３に対して回動可能なように連結した実施例である。
【産業上の利用可能性】
【００２８】
本発明は、衣類やタオル等を掛けるハンガーを製造、販売する産業分野で利用することができる。
【図面の簡単な説明】
【００２９】
【図１】本発明の第１の実施の形態に係るハンガーの斜視図である。
【図２】本発明の第２の実施の形態に係るハンガーの斜視図である。
【図３】図２の連結構造を示す部分断面斜視図である。
【図４】図２の連結部分の仮固定手段を示す部分斜視図である。
【図５】図２のバー４が略水平状態で仮固定された状態を示す断面斜視図である。
【図６】図２のバー４が略垂直状態で仮固定された状態を示す断面斜視図である。
【図７】図２の連結構造の実施例を示す部分斜視図である。
【図８】図７の仮固定手段を示す部分斜視図である。
【図９】図７における実施例の別な仮固定手段の実施例を示す部分斜視図である。
【図１０】図７における仮固定手段の実施例を示す部分斜視図である。
【図１１】本発明の第１及び第２の実施の形態に係るハンガーの、フック２に関する実施例を示す斜視図である。
【図１２】本発明のハンガーに衣類を掛けた状態を示す斜視図である。
【図１３】本発明のハンガーにタオルを掛けた状態を示す斜視図である。
【符号の説明】
【００３０】
１    ハンガー
２    フック
３    ショルダー
４    バー
５    ショルダー３の両端
６    バー４の両端
【図１】
2006141659.tif 000003
【図２】
2006141659.tif 000004
【図３】
2006141659.tif 000005
【図４】
2006141659.tif 000006
【図５】
2006141659.tif 000007
【図６】
2006141659.tif 000008
【図７】
2006141659.tif 000009
【図８】
2006141659.tif 000010
【図９】
2006141659.tif 000011
【図１０】
2006141659.tif 000012
【図１１】
2006141659.tif 000013
【図１２】
2006141659.tif 000014
【図１３】
2006141659.tif 000015